【手続補正書】
【提出日】平成16年8月12日(2004.8.12)
【手続補正１】
【補正対象書類名】明細書
【補正対象項目名】特許請求の範囲
【補正方法】変更
【補正の内容】
【特許請求の範囲】
【請求項１】
自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ電子交換機での呼損回避方法において、
前記各々の呼制御プロセッサが、
自呼制御プロセッサに関係付けられている端末または、他呼制御プロセッサからの呼の処理要求を受け付けて実行する通常状態；
他呼制御プロセッサからの呼の処理要求を全て拒否するフローティング依頼状態；
自呼制御プロセッサに関係付けられている端末からの呼の処理要求に対しては他呼制御プロセッサへの処理依頼をせず、他呼制御プロセッサからの呼の処理要求に対しては、他に通常状態の呼制御プロセッサが無い場合を除いて当該処理要求を拒否するフローティング拒否状態；
の何れの稼動状態で動作しているかを取得・保持し、呼制御プロセッサによって読み出される状態保持手段を有し、
前記呼制御プロセッサが端末からの呼を受け付けるステップと、
呼を受け付けると、当該呼制御プロセッサが自身の稼動状態を取得するステップと、
自身の稼動状態に応じて他の呼制御プロセッサの稼動状態を前記状態保持手段により取得するステップと、
当該取得した自呼制御プロセッサと他呼制御プロセッサの稼動状態に応じて、当該呼の制御処理を行う呼制御プロセッサを決定するステップと、を有し、
当該決定された前記呼制御プロセッサにおいて、前記呼制御処理をすることを特徴とする呼損回避方法。
【請求項２】
前記呼の制御処理を行う呼制御プロセッサを決定するステップは、
最初に受け付けた起呼信号に対してのみ行なう、請求項１記載の呼損回避方法。
【請求項３】
自プロセッサに収容されている端末からの呼を受け付けて制御処理する呼制御プロセッサを複数有し、自プロセッサの稼動状況に応じて、該受け付けた呼の制御処理を他の呼制御プロセッサに依頼して端末から呼を制御処理して呼損の回避を行なうマルチプロセッサ電子交換機であって、
前記各々の呼制御プロセッサが、
自呼制御プロセッサに関係付けられている端末または、他呼制御プロセッサからの呼の処理要求を受け付けて実行する通常状態；
他制御プロセッサからの呼の処理要求を全て拒否するフローティング依頼状態；
自呼制御プロセッサに関係付けられている端末からの呼の処理要求に対しては他呼制御プロセッサへの処理依頼をせず、他呼制御プロセッサからの呼の処理要求に対しては、他に通常状態の呼制御プロセッサが無い場合を除いて当該処理要求を拒否するフローティング状態；
のいずれかの稼動状態で動作しているかを取得・保持し、呼制御プロセッサによって読み出される状態保持手段と、
前記呼制御プロセッサが端末からの呼を受け付けると、当該呼制御プロセッサが自身の稼動状態及び前記状態保持手段から取得できる他制御プロセッサの稼動状態に応じて、当該呼の制御処理を行う呼制御プロセッサを決定する呼制御プロセッサ判定手段と、
当該決定された前記呼制御プロセッサに対して前記呼を制御させる呼制御手段と、を有することを特徴とするマルチプロセッサ電子交換機。
【請求項４】
前記呼制御プロセッサ判定手段は、
最初に受け付けた起呼信号に対してのみ呼制御を行うプロセッサを決定する処理を行なう請求項３記載のマルチプロセッサ電子交換機。
【請求項５】
自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ交換機に実行させる呼損回避プログラムであって、
前記請求項１乃至２記載の呼損回避方法の実現に用いられる処理を、マルチプロセッサ交換機として利用されるコンピュータに実行させることを特徴とする呼損回避プログラム。
【請求項６】
自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ交換機に実行させる呼損回避プログラムを格納した記憶媒体であって、
前記請求項１乃至２記載の呼損回避方法の実現に用いられる処理を、マルチプロセッサ交換機として利用されるコンピュータに実行させるプログラムを格納したことを特徴とする呼損回避プログラムを格納した記憶媒体。
【手続補正２】
【補正対象書類名】明細書
【補正対象項目名】０００８
【補正方法】変更
【補正の内容】
【０００８】
本発明は、上記の点に鑑みなされたもので、マルチプロセッサ電子交換機において、端末から呼を受けたプロセッサ内の稼動状態を判定し、呼制御プロセッサを決定するための専用の装置を用いずに、自プロセッサで受けた呼に対しては、可能な限り自プロセッサで呼制御を行なうことが可能なマルチプロセッサ電子交換機における、呼損回避方法及びマルチプロセッサ電子交換機及び呼損回避プログラム及び呼損回避プログラムを格納した記憶媒体を提供することを目的とする。
【課題を解決するための手段】
本発明（請求項１）は、自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ電子交換機での呼損回避方法において、
各々の呼制御プロセッサが、
自呼制御プロセッサに関係付けられている端末または、他呼制御プロセッサからの呼の処理要求を受け付けて実行する通常状態；
他呼制御プロセッサからの呼の処理要求を全て拒否するフローティング依頼状態；
自呼制御プロセッサに関係付けられている端末からの呼の処理要求に対しては他呼制御プロセッサへの処理依頼をせず、他呼制御プロセッサからの呼の処理要求に対しては、他に通常状態の呼制御プロセッサが無い場合を除いて当該処理要求を拒否するフローティング拒否状態；
の何れの稼動状態で動作しているかを取得・保持し、呼制御プロセッサによって読み出される状態保持手段を有し、
呼制御プロセッサが端末からの呼を受け付けるステップと、
呼を受け付けると、当該呼制御プロセッサが自身の稼動状態を取得するステップと、
自身の稼動状態に応じて他の呼制御プロセッサの稼動状態を状態保持手段により取得するステップと、
当該取得した自呼制御プロセッサと他呼制御プロセッサの稼動状態に応じて、当該呼の制御処理を行う呼制御プロセッサを決定するステップと、を有し、
当該決定された呼制御プロセッサにおいて、呼制御処理をする。
【手続補正３】
【補正対象書類名】明細書
【補正対象項目名】０００９
【補正方法】変更
【補正の内容】
【０００９】
本発明（請求項２）は、呼の制御処理を行う呼制御プロセッサを決定するステップは、
最初に受け付けた起呼信号に対してのみ行なう。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明（請求項３）は、自プロセッサに収容されている端末からの呼を受け付けて制御処理する呼制御プロセッサを複数有し、自プロセッサの稼動状況に応じて、該受け付けた呼の制御処理を他の呼制御プロセッサに依頼して端末から呼を制御処理して呼損の回避を行なうマルチプロセッサ電子交換機であって、
各々の呼制御プロセッサが、
自呼制御プロセッサに関係付けられている端末または、他呼制御プロセッサからの呼の処理要求を受け付けて実行する通常状態；
他制御プロセッサからの呼の処理要求を全て拒否するフローティング依頼状態；
自呼制御プロセッサに関係付けられている端末からの呼の処理要求に対しては他呼制御プロセッサへの処理依頼をせず、他呼制御プロセッサからの呼の処理要求に対しては、他に通常状態の呼制御プロセッサが無い場合を除いて当該処理要求を拒否するフローティング状態；
のいずれかの稼動状態で動作しているかを取得・保持し、呼制御プロセッサによって読み出される状態保持手段と、
呼制御プロセッサが端末からの呼を受け付けると、当該呼制御プロセッサが自身の稼動状態及び状態保持手段から取得できる他制御プロセッサの稼動状態に応じて、当該呼の制御処理を行う呼制御プロセッサを決定する呼制御プロセッサ判定手段と、
当該決定された呼制御プロセッサに対して呼を制御させる呼制御手段と、を有する。
【手続補正６】
【補正対象書類名】明細書
【補正対象項目名】００１２
【補正方法】変更
【補正の内容】
【００１２】
本発明（請求項４）は、呼制御プロセッサ判定手段において、
最初に受け付けた起呼信号に対してのみ呼制御を行うプロセッサを決定する処理を行なう。
【手続補正７】
【補正対象書類名】明細書
【補正対象項目名】００１３
【補正方法】変更
【補正の内容】
【００１３】
本発明（請求項５）は、自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ交換機に実行させる呼損回避プログラムであって、
上記の請求項１乃至２記載の呼損回避方法の実現に用いられる処理を、マルチプロセッサ交換機として利用されるコンピュータに実行させるプログラムである。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明（請求項６）は、自プロセッサに収容されている端末からの呼を受け付けて制御処理する呼制御プロセッサを複数有し、自プロセッサの稼動状況に応じて、該受け付けた制御処理を他の呼制御プロセッサに依頼して端末からの呼を制御処理するマルチプロセッサ交換機に実行させる呼損回避プログラムを格納した記憶媒体であって、
請求項１乃至２記載の呼損回避方法の実現に用いられる処理を、マルチプロセッサ交換機として利用されるコンピュータに実行させるプログラムを格納した記憶媒体である。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】